(57)【要約】【課題】  携帯性及びグリップ性に優れた携帯型電子機器を提供する。【解決手段】  デジタルカメラ２は、液晶ディスプレイ、撮像部、メモリ、制御回路などを備えた平板型の本体部３と、本体部３の下部中央から周囲に突出し、かつ中空部を有する円環状のフック部４とからなる。撮影の際には、フック部４が把持されて使用される。また、デジタルカメラ２を保持する保持具５１にはフック部４の中空部とほぼ相似形の凸部５１ｂが形成され、フック部４は凸部５１ｂに対して圧入動作及び引っ張り動作で着脱可能である。保持具５１はカバン５４などの布に取り付けられるので、デジタルカメラ２をカバン５４などに吊り下げて携帯することができる。【選択図】        図７
2005303391.tif 000002
【特許請求の範囲】
【請求項１】
少なくともディスプレイ、電源部、メモリ、及び制御回路を備えた平板型の本体部を有する携帯型電子機器において、前記本体部の周囲に突出し、かつ中空部を有するフック部を設けたことを特徴とする携帯型電子機器。
【請求項２】
前記本体部は撮像部をさらに備えた撮影装置であって、前記フック部は、撮影の際に把持して使用されることを特徴とする請求項１記載の携帯型電子機器。
【請求項３】
前記フック部の中空部とほぼ相似形の凸部を有する保持具を備え、前記フック部が前記凸部に対して圧入動作及び引っ張り動作で着脱可能であることを特徴とする請求項１又は２記載の携帯型電子機器。
【請求項４】
前記保持具は、布を貫通可能な針状の差込みピンを備え、この差込みピンを押さえる固定具によって布に固着されることを特徴とする請求項３記載の携帯型電子機器。
【請求項５】
前記ディスプレイの周囲が衝撃吸収部材で囲まれていることを特徴とする請求項１ないし４いずれか記載の携帯型電子機器。
【発明の詳細な説明】
【技術分野】
【０００１】
本発明は、ディスプレイを備えたデジタルカメラなどの携帯型電子機器に関するものである。
【背景技術】
【０００２】
撮像装置として、ＣＣＤイメージセンサなどの固体撮像素子で撮像した被写体光をデジタルの画像データに変換し、内蔵メモリやメモリカードなどの記憶媒体に記憶するデジタルカメラが普及している。また、デジタルカメラには、記憶媒体に記憶した画像データを表示するための平面型の画像表示ディスプレイが備えられており、このディスプレイには、液晶やＥＬ（Electro Luminescence）などのパネルが使用されている。
【０００３】
このようなディスプレイは、画像データを再生表示するとともにビューファインダとしても機能するように構成され、パネルのサイズも大きなものが用いられるようになってきている。このためデジタルカメラを保持すると手がパネルに触れてしまういったことがあった。これを解決するために携帯性とグリップ性とを両立させたデジタルカメラが知られている（例えば、特許文献１参照）。
【０００４】
【特許文献１】特開平１１−０１５０７２号公報
【発明の開示】
【発明が解決しようとする課題】
【０００５】
ところで、このようなデジタルカメラなどの携帯型電子機器において、意匠性に優れて見栄えがよく、さらに携帯性及びグリップ性に優れたものが望まれている。
【０００６】
本発明は、ディスプレイを備え、携帯性及びグリップ性に優れた携帯型電子機器を提供することを目的とする。
【課題を解決するための手段】
【０００７】
本発明の携帯型電子機器は、少なくともディスプレイ、電源部、メモリ、及び制御回路を備えた平板型の本体部を有する携帯型電子機器において、前記本体部の周囲に突出し、かつ中空部を有するフック部を設けたことを特徴とするものである。
【０００８】
なお、前記本体部は撮像部をさらに備えた撮影装置であって、前記フック部は、撮影の際に把持して使用されることが好ましい。
【０００９】
また、前記フック部の中空部とほぼ相似形の凸部を有する保持具を備え、前記フック部が前記凸部に対して圧入動作及び引っ張り動作で着脱可能であることが好ましい。
【００１０】
また、前記保持具は、布を貫通可能な針状の差込みピンを備え、この差込みピンを押さえる固定具によって布に固着されることが好ましい。
【００１１】
さらに、前記ディスプレイの周囲が衝撃吸収部材で囲まれていることが好ましい。
【発明の効果】
【００１２】
本発明の携帯型電子機器は、平板型の本体部の周囲に突出し、かつ中空部を有するフック部を備えているので、フック部は、カバンや衣類など取り付けるために用ることができるとともに、グリップとして用いることができるので、携帯性及びグリップ性が向上する。また、本発明の携帯型電子機器は、保持具によって、カバンや衣類などに取り付けることができる。
【発明を実施するための最良の形態】
【００１３】
図１及び図２において、本発明を適用したデジタルカメラ２は、矩形で平板状の本体部３と、本体部３と一体に形成されたフック部４とからなる。フック部４は、本体部３の下部中央から突出するように設けられており、真鍮などの金属線材を円環状に沿って曲げて成形されたものである。このようにフック部４は中空部４ａを有し、中空部４ａの貫通方向は本体部３の前面及び背面に対してほぼ垂直となっている。
【００１４】
図１に示すように、本体部３の前面側には、一対のマイクロホン５、撮像部６、ＬＥＤ７が設けられている。一対のマイクロホン５は、本体部３の上部の両端にそれぞれ設けられており、周囲の音声を収録する。撮像部６は、左側のマイクロホン５の下方に隣接するように設けられており、被写体の撮像を行う。ＬＥＤ７は、右側のマイクロホン５の下方に隣接するように設けられており、電源がオンの場合に点灯し、オフの場合に消灯する。本体部３の前面側の大部分は、不透明な樹脂で覆われている。
【００１５】
図２に示すように、本体部３の背面側には、液晶ディスプレイ（ＬＣＤ）８、操作ボタン９、電源ボタン１０、一対のスピーカ１１が設けられている。ＬＣＤ８は、画像データやメニュー画面を表示するための矩形平面型のパネルであり、本体部３の背面の大部分を占めている。なお、ＬＣＤ８の周囲は柔らかいゴム等の衝撃吸収部材で囲まれている。
【００１６】
操作ボタン９は、本体部３のＬＣＤ８の下方でかつ、フック部４の上方である位置に設けられており、撮像部６のシャッタレリーズ操作やレンズのズーム操作、静止画撮影モードと動画撮影モードとの切り替えなど各種設定操作を可能とする。電源ボタン１０は、ＬＣＤ８の上方に設けられており、電源のオン／オフ操作を可能とする。一対のスピーカ１１は、ＬＣＤ８の両側に設けられ、マイクロホン５によって収録され、記録された音声を出力する。なお、ＬＣＤ８に代えて、ＥＬディスプレイを用いてもよい。
【００１７】
図３は、デジタルカメラ２の電気的構成を示す。前述の撮像部６は、レンズモータ２０が接続された撮像レンズ２１、アイリスモータ２２が接続された絞り２３、モータドライバ２４、ＣＣＤ２５、タイミングジェネレータ（ＴＧ）２６、相関二重サンプリング回路（ＣＤＳ）２７、増幅器（ＡＭＰ）２８、及びＡ／Ｄ変換器（Ａ／Ｄ）２９で構成されている。なお、撮像レンズ２１は本体部３の前面に露呈している。
【００１８】
レンズモータ２０は、操作ボタン９のズーム操作に連動して、撮像レンズ２１のズームレンズをワイド側、あるいはテレ側に移動させる。また、被写体距離やズームレンズの変倍に応じて撮像レンズ２１のフォーカスレンズを移動させ、撮影条件が最適となるように焦点調整を行う。アイリスモータ２２は、絞り２３を動作させて露出調整を行う。
【００１９】
撮像レンズ２１の背後には、撮像レンズ２１を透過した被写体光を受光するＣＣＤ２５が配置されている。ＣＣＤ２５には、制御回路（ＣＰＵ）３０によって制御されるＴＧ２６が接続され、このＴＧ２６から入力されるタイミング信号（クロックパルス）により、電子シャッタのシャッタ速度が決定される。なお、ＣＣＤ２５に代えて、ＭＯＳイメージセンサを用いてもよい。
【００２０】
ＣＣＤ２５から出力された撮像信号は、相関二重サンプリング回路（ＣＤＳ）２７に入力され、ＣＣＤ２５の各受光素子の蓄積電荷量に正確に対応したＲ，Ｇ，Ｂの画像データとして出力される。ＣＤＳ２７から出力された画像データは、増幅器（ＡＭＰ）２８で増幅され、Ａ／Ｄ２９でデジタルの画像データに変換される。
【００２１】
Ａ／Ｄ２９から出力された画像データは、画像信号処理回路３１に入力され、階調変換、ホワイトバランス補正、γ補正処理などの各種画像処理が施される。画像信号処理回路３１から出力された画像データは、バス３２を介して接続されたＲＡＭ３３に一旦格納され、ＬＣＤドライバ３４を介してＬＣＤ８にスルー画像として表示され、ＬＣＤ８は、電子ビューファインダとして機能する。
【００２２】
ＹＣ変換処理回路３５は、画像信号処理回路３１で各種画像処理が施された画像データをＲＡＭ３３から読み出し、輝度信号Ｙと色差信号Ｃｒ，Ｃｂとに変換する。圧縮伸長処理回路３６は、この変換された画像データに対してＪＰＥＧ圧縮形式で画像圧縮を施す。圧縮された画像データは、不揮発性の内部メモリであるＥＥＰＲＯＭ３７に記録される。このとき、静止画撮影モードでは静止画像データが、動画撮影モードでは動画像データが圧縮伸長処理回路３６によって圧縮処理され、ＥＥＰＲＯＭ３７に記録される。なお、動画像データは、それを構成する各フレームの画像データがそれぞれ圧縮処理され、独立したＪＰＥＧ画像が羅列されたモーションＪＰＥＧ形式となっている。また、再生時においては、ＥＥＰＲＯＭ３７に記録された静止画像データあるいは動画像データが圧縮伸長処理回路３６によって伸長処理され、ＬＣＤドライバ３４を介してＬＣＤ８に表示される。
【００２３】
ＣＰＵ３０には、ＬＥＤ７、操作ボタン９、電源ボタン１０、電源部３８が接続されている。電源部３８は、本体部３の内部に設けられたバッテリであり、ＣＰＵ３０に電源電圧を供給し、この給電は電源ボタン１０の操作に応じてオン／オフされる。ＬＥＤ７は、電源ボタン１０の操作に応じて点灯／消灯する。また、ＥＥＰＲＯＭ３７には、各種制御用のプログラムや設定情報なども記録されている。ＣＰＵ３０は、これらの情報をＥＥＰＲＯＭ３７から作業用メモリであるＲＡＭ３３に読み出して、各種処理を実行する。
【００２４】
バス３２には、ＡＥ／ＡＷＢ検出回路３９及びＡＦ検出回路４０が接続されている。ＡＥ／ＡＷＢ検出回路３９は、露出量、すなわち電子シャッタのシャッタ速度、及び絞り２３の絞り値が撮影に適切か否かを検出するとともに、ホワイトバランスが撮影に適切か否かを検出する。ＡＦ検出回路４０は、撮像レンズ２１の焦点調整が撮影に適切か否かを検出する。検出回路３９，４０は、シャッタレリーズモードで操作ボタン９が半押しされると、バス３２を介してＣＰＵ３０に検出結果を逐次送信する。ＣＰＵ３０は、各検出回路３９，４０から送信される検出結果に基づいて、撮像レンズ２１、絞り３１、及びＣＣＤ３６の動作を制御する。
【００２５】
さらに、バス３２には、音声記録処理回路４１及び音声再生処理回路４２が接続されている。音声記録処理回路４１は、マイクロホン５によって取得された音声をＡ／Ｄ変換してデジタルの音声データとした後、この音声データを画像データと関連づけてＥＥＰＲＯＭ３７に記録する。音声再生処理回路４２は、動画再生時において、ＥＥＰＲＯＭ３７に記録された音声データをＤ／Ａ変換し、スピーカ１１に音声を出力させる。
【００２６】
以上のように構成されたデジタルカメラ２の作用について説明する。まず、電源ボタン１０を操作してオンにするとＬＥＤ７が点灯し、ＬＣＤ８にメニュー画面が表示される。操作ボタン９によってメニューから静止画撮影モード又は動画撮影モードを選択すると、撮影動作が開始され、ＬＣＤ８にスルー画像が表示され、このとき、撮像レンズ２１のズーム操作なども行う。デジタルカメラ２は上記のような形状であるので、撮影者は、ＬＣＤ８を自身へ向けるようにフック部４を把持してグリップとして使用するとともに、親指で操作ボタン９を操作することができる。
【００２７】
静止画撮影モードの場合には、被写体に撮像レンズ２１を向け、操作ボタン９を半押しすることで自動露光調整（ＡＥ）、自動焦点調整（ＡＦ）などの各種撮影準備処理が施される。この状態で操作ボタン９をもう１度強く押圧（全押し）すると、撮影準備処理が施された１画面分の撮像信号が画像データに変換された後、画像処理および圧縮処理が施され、ＥＥＰＲＯＭ３７に記録される。
【００２８】
動画撮影モードの場合には、被写体に撮像レンズ２１を向け、操作ボタン９を全押しすると動画撮影が開始され、操作ボタン９を再度全押しするまで、一定のフレームレート（例えば３０フレーム／秒）で画像データが取得される。また、これと同時にマイクロホン５を介して周囲の音声が収録される。マイクロホン５で収録された音声は、画像データと関連付けられてＥＥＰＲＯＭ３７に記録される。
【００２９】
静止画又は動画撮影を終え、ＬＣＤ８に表示されたメニュー画面に従って操作ボタン９を操作し、デジタルカメラ２を再生モードとすることで、ＥＥＰＲＯＭ３７に記録された静止画像データ、動画像データ、音声データの再生を行うことができる。再生時には、壁などに設けられた突起にフック部４を引っ掛け、デジタルカメラ２を逆さに吊るすことができる。なお、ＬＣＤ８に表示する向きは適宜変更可能となっている。
【００３０】
次に、図４は、デジタルカメラ２を保持する保持ユニット５０を示す。保持ユニット５０は、リベット形の保持具５１と、保持具５１の差込ピン５１ｃを押さえる固定具５２とによって構成されている。保持具５１は、円盤状の台座部５１ａを備え、台座部５１ａの前面には凸部５１ｂが形成されており、台座部５１ａの背面には針状の差込ピン５１ｃが取り付けられている。凸部５１ｂの外周は円系であって、デジタルカメラ２が備えるフック部４の中空部４ａとほぼ同じ大きさの相似形であるので、圧入によってフック部４は凸部５１ｂに嵌合し、デジタルカメラ２を保持具５１に保持することができる。固定具５２は、円盤状の台座部５２ａの一面に隆起部５２ｂを備え、隆起部５２ｂの中央部には保持具５１の差込ピン５１ｃが差し込まれる穴５２ｃが形成されている。また、図５に示すように、保持具５１は、差込ピン５１ｃの根元部分の周囲に爪５１ｄを備えている。
【００３１】
図６は、カバンや衣類などの布５３に保持具５１の差込ピン５１ｃが突き刺され、固定具５２に差込ピン５１ｃが挿通した様子を示す。差込ピン５１ｃは、布５３を貫通して穴５２ｃに挿通している。また、保持具５１の爪５１ｄは、固定具５２の隆起部５２ｂとの間で布５３を押圧して挟み込んでいる。このようにして、保持具５１は固定具５２によって布５３に固着される。
【００３２】
図７は、保持具５１が固定具５２によってカバン５４に取り付けられ、デジタルカメラ２が保持具５１に保持されて吊り下げられた様子を示す。保持具５１がカバン５４などに取り付けられた状態で、凸部５１ｂに対してフック部４を圧入することでデジタルカメラ２は保持具５１に取り付けられる。また、この状態から、フック部４を上記圧入の方向とは逆の方向に引っ張ることでデジタルカメラ２は保持具５１から取り外される。このように、デジタルカメラ２は、保持ユニット５０によってカバンや衣類などに吊り下げて携帯することができる。
【００３３】
上記実施形態では、円環状のフック部４を本体部３から突出するように設けたが、本発明はこれに限られるものではなく、フック部は中空部を有する形状であればよく形状は適宜変更することができる。例えば、外形がほぼ三角形のフック部６０（図８（Ａ）参照）、外形がほぼハート形のフック部６１（図８（Ｂ）参照）、外形がほぼ矢印形のフック部６２（図８（Ｃ）参照）などが本体部３から突出するようにしてもよい。なお、フック部が嵌合するように、凸部５１ｂの形状は、このフック部の中空部とほぼ同じ大きさの相似形とすればよい。
【００３４】
上記実施形態では、携帯型電子機器としてデジタルカメラ２を例示して説明したが、本発明はこれに限られるものではなく、他の携帯電子機器、例えばＰＤＡ（Personal Digital Assistance ）、携帯電話、モバイル用モニタなどに適用することができ、撮像部は必ずしも必要ではない。
【図面の簡単な説明】
【００３５】
【図１】デジタルカメラの前面側の概観を示す斜視図である。
【図２】デジタルカメラの背面側の概観を示す斜視図である。
【図３】デジタルカメラの電気的構成を示すブロック図である。
【図４】保持ユニットの概観を示す斜視図である。
【図５】保持具の断面図である。
【図６】保持具が布を介して固定具に結合した様子を示す図である。
【図７】デジタルカメラが保持ユニットによってカバンに吊り下げられた様子を示す図である。
【図８】フック部の変形例を示す図である。
【符号の説明】
【００３６】
２  デジタルカメラ
３  本体部
４  フック部
４ａ  中空部
６  撮像部
８  ＬＣＤ
９  操作ボタン
３０  制御回路
３８  電源部
５０  保持ユニット
５１  保持具
５１ｂ  凸部
５１ｃ  差込ピン
５１ｄ  爪
５２  固定具
５２ｂ  隆起部
５２ｃ  穴
５３  布
５４  カバン
【図１】
2005303391.tif 000003
【図２】
2005303391.tif 000004
【図３】
2005303391.tif 000005
【図４】
2005303391.tif 000006
【図５】
2005303391.tif 000007
【図６】
2005303391.tif 000008
【図７】
2005303391.tif 000009
【図８】
2005303391.tif 000010